(57)【特許請求の範囲】
【請求項１】
記録媒体に関連付けられた有価価値に応じて遊技媒体を貸し出す遊技媒体貸出システムにおける計数機であって、
前記記録媒体に関連付けられた有価価値の残額を取得する取得手段と、
前記取得手段によって取得された残額から所定額未満の端数を検出する検出手段と、
前記検出手段によって検出された端数を当該端数によって貸出可能な遊技媒体数に換算する換算手段と、
前記検出手段によって検出された端数を前記残額から減算するための減算処理を行う減算処理手段と、
遊技客が遊技によって獲得した遊技媒体を計数する計数手段と、
前記計数手段によって計数された遊技媒体数と前記換算手段によって換算された遊技媒体数とを合算する合算手段と、
前記合算手段によって合算された遊技媒体数が記載されたレシートを発行する発行手段と
を有することを特徴とする計数機。
【請求項２】
前記減算処理手段は、
前記端数を前記残額から減算する旨の更新情報を生成する生成手段と、
前記生成手段によって生成された更新情報を前記記録媒体に関連付けられた有価価値を管理する管理装置へ送信する送信手段と
を有することを特徴とする請求項１に記載の計数機。
【請求項３】
前記換算手段によって換算された遊技媒体数を遊技客ごとの遊技媒体所持数を記憶する記憶装置へ送信する送信手段をさらに有することを特徴とする請求項１又は２に記載の計数機。
【請求項４】
記録媒体に関連付けられた有価価値に応じて遊技媒体を貸し出す遊技媒体貸出システムにおける景品管理装置であって、
前記記録媒体に関連付けられた有価価値の残額を取得する取得手段と、
前記取得手段によって取得された残額から所定額未満の端数を検出する検出手段と、
前記検出手段によって検出された端数を当該端数によって貸出可能な遊技媒体数に換算する換算手段と、
前記検出手段によって検出された端数を前記残額から減算するための減算処理を行う減算処理手段と、
遊技客が遊技によって獲得した遊技媒体数をレシートから読み取る読取手段と、
前記読み取り手段によって読み取られた遊技媒体数と前記換算手段によって換算された遊技媒体数とを合算する合算手段と、
前記合算手段によって合算された遊技媒体数に応じた景品を発行するための景品交換処理を行う景品交換処理手段と
を有することを特徴とする景品管理装置。
【請求項５】
記録媒体に関連付けられた有価価値に応じて遊技媒体を貸し出す遊技媒体貸出システムにおける計数機の計数方法であって、
前記記録媒体に関連付けられた有価価値の残額を取得する取得工程と、
前記取得工程にて取得された残額から所定額未満の端数を検出する検出工程と、
前記検出工程にて検出された端数を当該端数によって貸出可能な遊技媒体数に換算する換算工程と、
前記検出工程にて検出された端数を前記残額から減算するための減算処理を行う減算処理工程と、
遊技客が遊技によって獲得した遊技媒体を計数する計数工程と、
前記計数工程によって計数された遊技媒体数と前記換算工程によって換算された遊技媒体数とを合算する合算工程と、
前記合算工程によって合算された遊技媒体数が記載されたレシートを発行する発行工程と
を有することを特徴とする計数方法。
【請求項６】
記録媒体に関連付けられた有価価値に応じて遊技媒体を貸し出す遊技媒体貸出システムにおける景品管理装置の景品交換処理方法であって、
前記記録媒体に関連付けられた有価価値の残額を取得する取得工程と、
前記取得工程によって取得された残額から所定額未満の端数を検出する検出工程と、
前記検出工程によって検出された端数を当該端数によって貸出可能な遊技媒体数に換算する換算工程と、
前記検出工程によって検出された端数を前記残額から減算するための減算処理を行う減算処理工程と、
遊技客が遊技によって獲得した遊技媒体数をレシートから読み取る読取工程と、
前記読取工程によって読み取られた遊技媒体数と前記換算工程によって換算された遊技媒体数とを合算する合算工程と、
前記合算工程によって合算された遊技媒体数に応じた景品を発行するための景品交換処理を行う景品交換処理工程と
を有することを特徴とする景品交換処理方法。
【発明の詳細な説明】
【技術分野】
【０００１】
本発明は、記録媒体に関連付けられた有価価値に応じて遊技媒体を貸し出す遊技媒体貸出システムにおける計数機、景品管理装置、計数方法及び景品交換処理方法に関し、特に、遊技客からの消費税徴収に柔軟に対応できるとともに、遊技客の便宜を図ることができる計数機、景品管理装置、計数方法及び景品交換処理方法に関する。
【背景技術】
【０００２】
現在、例えばパチンコ店やパチスロ店などの遊技店においては、玉やメダルなどの遊技媒体を用いた遊技に係る消費税を遊技客に代わって遊技店が負担するのが一般的である。しかし、将来的に消費税率が上昇すると、遊技店の負担が大きくなることから、遊技客が自らの遊技に係る消費税を負担するようになると考えられる。
【０００３】
ところで、遊技店における遊技媒体の貸し出しには、有価価値が関連付けられたプリペイドカードが用いられることが多い。遊技客は、あらかじめ遊技店内のカード販売機などにおいて所望の金額のプリペイドカードを購入し、購入したプリペイドカードに関連付けられた金額分の遊技媒体を借り受けることができる。そこで、例えば特許文献１では、プリペイドカードの価格に消費税額分を上乗せしておき、遊技客に消費税を課税することが検討されている。しかし、この特許文献１においては、プリペイドカードの価格が消費税分を上乗せした半端な金額となり、利便性が悪くなってしまう。
【０００４】
このため、例えば特許文献２には、プリペイドカードの価格を変更するのではなく、プリペイドカードを使用して遊技媒体が貸し出される際に、プリペイドカードの残額から遊技媒体の貸出に対する消費税相当分の有価価値を減算することが記載されている。
【０００５】
【特許文献１】特開平１１−７０２６４号公報
【特許文献２】特開２００２−１２３６５１号公報
【発明の開示】
【発明が解決しようとする課題】
【０００６】
しかしながら、上記のように、プリペイドカードの価格に消費税を課税したり、プリペイドカードの使用に対して消費税を課税したりする場合には、プリペイドカードの残額に利用不可能な端数が生じるという問題がある。すなわち、通常、プリペイドカードが利用される遊技店においては、例えば１００円を最低単位として、この最低単位の倍数に応じた分の遊技媒体が貸し出されるが、上記の技術においては、プリペイドカードの残額が最低単位未満となり、遊技媒体の貸し出しを受けることができないことがある。
【０００７】
このような場合、遊技客がプリペイドカードの残額を現金に精算することが考えられるが、そのためには、精算機が１００円未満の硬貨を払い出して精算する必要があり、１００円以上の硬貨・紙幣のみを払い出し可能な現行の精算機を大幅に改変するコストがかかってしまう。また、１００円未満の精算が行われれば、遊技客に多くの小銭が払い出されることになるため、遊技客にとっても便宜が悪化する。
【０００８】
本発明はかかる点に鑑みてなされたものであり、遊技客からの消費税徴収に柔軟に対応できるとともに、遊技客の便宜を図ることができる計数機、景品管理装置、計数方法及び景品交換処理方法を提供することを目的とする。
【課題を解決するための手段】
【０００９】
上記課題を解決するために、本発明は、記録媒体に関連付けられた有価価値に応じて遊技媒体を貸し出す遊技媒体貸出システムにおける計数機であって、前記記録媒体に関連付けられた有価価値の残額を取得する取得手段と、前記取得手段によって取得された残額から所定額未満の端数を検出する検出手段と、前記検出手段によって検出された端数を当該端数によって貸出可能な遊技媒体数に換算する換算手段と、前記検出手段によって検出された端数を前記残額から減算するための減算処理を行う減算処理手段と、遊技客が遊技によって獲得した遊技媒体を計数する計数手段と、前記計数手段によって計数された遊技媒体数と前記換算手段によって換算された遊技媒体数とを合算する合算手段と、前記合算手段によって合算された遊技媒体数が記載されたレシートを発行する発行手段とを有することを特徴とする。
【００１０】
また、本発明は、上記発明において、前記減算処理手段は、前記端数を前記残額から減算する旨の更新情報を生成する生成手段と、前記生成手段によって生成された更新情報を前記記録媒体に関連付けられた有価価値を管理する管理装置へ送信する送信手段とをさらに有することを特徴とする。
【００１１】
また、本発明は、上記発明において、前記換算手段によって換算された遊技媒体数を遊技客ごとの遊技媒体所持数を記憶する記憶装置へ送信する送信手段をさらに有することを特徴とする。
【００１２】
また、本発明は、記録媒体に関連付けられた有価価値に応じて遊技媒体を貸し出す遊技媒体貸出システムにおける景品管理装置であって、前記記録媒体に関連付けられた有価価値の残額を取得する取得手段と、前記取得手段によって取得された残額から所定額未満の端数を検出する検出手段と、前記検出手段によって検出された端数を当該端数によって貸出可能な遊技媒体数に換算する換算手段と、前記検出手段によって検出された端数を前記残額から減算するための減算処理を行う減算処理手段と、遊技客が遊技によって獲得した遊技媒体数をレシートから読み取る読取手段と、前記読み取り手段によって読み取られた遊技媒体数と前記換算手段によって換算された遊技媒体数とを合算する合算手段と、前記合算手段によって合算された遊技媒体数に応じた景品を発行するための景品交換処理を行う景品交換処理手段とを有することを特徴とする。
【００１３】
また、本発明は、記録媒体に関連付けられた有価価値に応じて遊技媒体を貸し出す遊技媒体貸出システムにおける計数機の計数方法であって、前記記録媒体に関連付けられた有価価値の残額を取得する取得工程と、前記取得工程にて取得された残額から所定額未満の端数を検出する検出工程と、前記検出工程にて検出された端数を当該端数によって貸出可能な遊技媒体数に換算する換算工程と、前記検出工程にて検出された端数を前記残額から減算するための減算処理を行う減算処理工程と、遊技客が遊技によって獲得した遊技媒体を計数する計数工程と、前記計数工程によって計数された遊技媒体数と前記換算工程によって換算された遊技媒体数とを合算する合算工程と、前記合算工程によって合算された遊技媒体数が記載されたレシートを発行する発行工程とを有することを特徴とする。
【００１４】
また、本発明は、記録媒体に関連付けられた有価価値に応じて遊技媒体を貸し出す遊技媒体貸出システムにおける景品管理装置の景品交換処理方法であって、前記記録媒体に関連付けられた有価価値の残額を取得する取得工程と、前記取得工程によって取得された残額から所定額未満の端数を検出する検出工程と、前記検出工程によって検出された端数を当該端数によって貸出可能な遊技媒体数に換算する換算工程と、前記検出工程によって検出された端数を前記残額から減算するための減算処理を行う減算処理工程と、遊技客が遊技によって獲得した遊技媒体数をレシートから読み取る読取工程と、前記読取工程によって読み取られた遊技媒体数と前記換算工程によって換算された遊技媒体数とを合算する合算工程と、前記合算工程によって合算された遊技媒体数に応じた景品を発行するための景品交換処理を行う景品交換処理工程とを有することを特徴とする。
【発明の効果】
【００１５】
本発明によれば、記録媒体に関連付けられた有価価値の残額を取得し、取得された残額から所定額未満の端数を検出し、検出された端数を当該端数によって貸出可能な遊技媒体数に換算し、検出された端数を前記残額から減算するための減算処理を行う。そして、遊技客が遊技によって獲得した遊技媒体を計数し、計数された遊技媒体数と換算された遊技媒体数とを合算し、合算された遊技媒体数が記載されたレシートを発行する。このため、記録媒体であるプリペイドカードなどの残額に消費税徴収によって発生した端数を玉数などに換算して遊技客に還元することができ、遊技客からの消費税徴収に柔軟に対応できるとともに、遊技客の便宜を図ることができる。また、プリペイドカードの残額に端数が無くなるので、１００円未満の硬貨を払い出すことができない現行の精算機でプリペイドカードの精算を行うことができ、コストの増大を抑制することができる。さらに、端数分の遊技媒体と遊技によって獲得された遊技媒体との合計数がレシートに記載され、端数分の遊技媒体を遊技によって獲得された遊技媒体と同時に景品交換することができる。
【００１７】
また、本発明によれば、遊技客が遊技によって獲得した遊技媒体数をレシートから読み取り、読み取られた遊技媒体数と換算された遊技媒体数とを合算し、合算された遊技媒体数に応じた景品を発行するための景品交換処理を行う。このため、端数分の遊技媒体を遊技によって獲得された遊技媒体と同時に景品交換することができる。
【００１８】
また、本発明によれば、端数を残額から減算する旨の更新情報を生成し、生成された更新情報を記録媒体に関連付けられた有価価値を管理する管理装置へ送信する。このため、記録媒体であるプリペイドカードの残額を管理する管理装置において、確実に端数分を残額から減算することができる。
【００１９】
また、本発明によれば、換算された遊技媒体数を遊技客ごとの遊技媒体所持数を記憶する記憶装置へ送信する。このため、端数分の遊技媒体を景品に交換することなく、次回以降の遊技のために遊技店に蓄積しておくことにより、遊技客に還元することができる。
【発明を実施するための最良の形態】
【００２０】
以下、本発明の実施の形態について、図面を参照して詳細に説明する。なお、以下においては、遊技媒体として玉を用いるパチンコを例に挙げて説明するが、本発明は遊技媒体としてメダルを用いるパチスロにも同様に適用可能である。また、以下の説明においては、記録媒体としてプリペイドカードを用いることとするが、他にも例えばプリペイド機能付きの会員カードなどに有価価値を関連付ける場合も同様である。
【００２１】
（実施の形態１）
図１は、本発明の実施の形態１に係る玉貸出システムの概略を示す図である。図１に示すように、本実施の形態に係る玉貸出システムは、ターミナルコントローラ（以下「Ｔ／Ｃ」と略記する）１０、計数機２０、カード精算機３０、カード発行機４０、島コントローラ５０、カードユニット６０、およびパチンコ機７０を有している。
【００２２】
Ｔ／Ｃ１０は、カード発行機４０によって発行されるすべてのプリペイドカードの発行額や残額を記憶しており、プリペイドカードを利用した玉の貸し出しなどを管理する。具体的には、Ｔ／Ｃ１０は、各プリペイドカードに独自のカードＩＤと発行額や残額などとをテーブル形式で関連付けて記憶しており、玉の貸し出しに残額が利用されれば残額から利用分を減算する。
【００２３】
計数機２０は、遊技客が遊技によって獲得した玉を計数し、玉数が印字されたレシートを発行する。また、計数機２０は、プリペイドカードが挿入されると、プリペイドカードの残額における精算不可能な端数を検出し、端数を玉数に換算する。そして、計数機２０は、計数結果の玉数と換算結果の玉数とを合算し、合計の玉数が印字されたレシートを発行する。
【００２４】
つまり、本実施の形態に係る計数機２０は、記録媒体であるプリペイドカードの残額の端数を玉数に換算し、換算結果を遊技によって獲得された玉数に合算してレシートを発行することにより、消費税の徴収により発生したプリペイドカードの残額の端数を遊技客に還元する。この処理の詳細については、後に詳述する。
【００２５】
カード精算機３０は、プリペイドカードが挿入されると、プリペイドカードの残額を現金に精算する。なお、カード精算機３０は、１００円以上の硬貨または紙幣を払い出すものとし、従来から一般的に使用されている精算機と同等のものである。また、カード精算機３０は、プリペイドカードの残額が精算されると、このプリペイドカードのカードＩＤと残額が精算された旨の更新情報とをＴ／Ｃ１０へ送信する。
【００２６】
カード発行機４０は、遊技客が投入した現金に応じた有価価値が関連付けられたプリペイドカードを発行する。なお、カード発行機４０は、例えば５０００円や１００００円分などの有価価値が関連付けられたプリペイドカードを発行するものとし、消費税分が上乗せされた半端な金額を必要としない、従来から一般的に使用されている発行機と同等のものである。また、カード発行機４０は、プリペイドカードが発行されると、このプリペイドカードのカードＩＤと発行額を示す更新情報とをＴ／Ｃ１０へ送信する。
【００２７】
島コントローラ５０は、「島」と呼ばれる単位ごとに複数のカードユニット６０を管理し、各カードユニット６０においてプリペイドカードの残額が利用されると、このプリペイドカードのカードＩＤと利用額を示す更新情報とをＴ／Ｃ１０へ送信する。
【００２８】
カードユニット６０は、プリペイドカードが挿入されると、プリペイドカードの残額を上限として、例えば１００円を最低単位として、最低単位に応じた分ずつ遊技媒体である玉を投出するようパチンコ機７０へ投出指示する。また、カードユニット６０は、パチンコ機７０へ玉の投出指示をする際、指示された玉数に対応する消費税額をプリペイドカードの残額から徴収し、玉の貸出額および消費税額の合計値を利用額として、上位の島コントローラ５０へ通知する。すなわち、本実施の形態においては、遊技客がプリペイドカードの残額を使用して玉の貸し出しを受ける度に、貸出額に応じた消費税がプリペイドカードの残額から徴収されることになる。
【００２９】
パチンコ機７０は、カードユニット６０に併設されており、カードユニット６０からの玉の投出指示に従って、最低単位に応じた分ずつの玉を受け皿へ投出する。遊技客は、受け皿に投出された玉を盤面に弾き出すことにより遊技を行う。
【００３０】
図２は、本実施の形態に係るＴ／Ｃ１０の要部構成を示すブロック図である。図２に示すＴ／Ｃ１０は、受信部１０１、カード管理テーブル１０２、カード残額更新部１０３、および送信部１０４を有している。
【００３１】
受信部１０１は、計数機２０、カード精算機３０、カード発行機４０、および島コントローラ５０それぞれから送信されるカードＩＤおよび更新情報を受信し、カード残額更新部１０３へ出力する。
【００３２】
カード管理テーブル１０２は、遊技店内で使用されるプリペイドカードのカードＩＤと発行額や残額などとを関連付けて記憶している。具体的には、カード管理テーブル１０２は、例えば図３に示すような形式をしており、各カードＩＤに発行額、貸出額、消費税額、残額、および残度数などが関連付けられている。本実施の形態においては、消費税率を５％とし、１００円分の玉が貸し出される際に、５円の消費税が徴収されるものとする。また、１度数は１００円分の玉に対応するため、消費税を含めると１度数が１０５円分に相当することになる。したがって、図３において、例えばカードＩＤ「０００１」のプリペイドカードについては、玉の貸し出しに用いられる貸出額が５００円であるため、５度数が使用されたことがわかる。
【００３３】
カード残額更新部１０３は、受信部１０１によってカードＩＤおよび更新情報が同時に受信された場合は、受信されたカードＩＤに対応する貸出額、消費税額、残額、および残度数をカード管理テーブル１０２から読み出し、受信された更新情報に従って更新し、更新された残額および残度数を残額情報として送信部１０４へ出力する。また、カード残額更新部１０３は、受信部１０１によってカードＩＤのみが受信された場合は、受信されたカードＩＤに対応する残額および残度数をカード管理テーブル１０２から読み出し、そのまま残額情報として送信部１０４へ出力する。
【００３４】
送信部１０４は、カード残額更新部１０３から出力される残額情報を、カードＩＤおよび更新情報を送信した計数機２０、カード精算機３０、カード発行機４０、および島コントローラ５０のいずれかへ送信する。
【００３５】
図４は、本実施の形態に係る計数機２０の要部構成を示すブロック図である。図４に示す計数機２０は、カードＩＤ読取部２０１、送信部２０２、受信部２０３、端数検出部２０４、更新情報生成部２０５、換算部２０６、計数部２０７、玉数合算部２０８、およびレシート発行部２０９を有している。
【００３６】
カードＩＤ読取部２０１は、計数機２０にプリペイドカードが挿入されると、このプリペイドカードに記録されているカードＩＤを読み取り、送信部２０２へ出力する。送信部２０２は、カードＩＤ読取部２０１から出力されたカードＩＤまたは更新情報生成部２０５によって生成された更新情報をＴ／Ｃ１０へ送信する。
【００３７】
受信部２０３は、Ｔ／Ｃ１０から送信された残額情報を受信する。この残額情報は、送信部２０２からカードＩＤが送信された場合に、Ｔ／Ｃ１０のカード管理テーブル１０２から読み出される、カードＩＤに対応した残額および残度数を示すものである。
【００３８】
端数検出部２０４は、受信部２０３によって受信された残額情報から、カード精算機３０でも精算不可能な残額の端数を検出する。すなわち、ここではカード精算機３０が１００円以上の硬貨または紙幣を払い出して精算するため、端数検出部２０４は、１００円未満の残額を端数として検出する。具体的に、例えば図３に示したカードＩＤが「０００１」のプリペイドカードについては、残額が４４７５円なので端数は７５円となる。
【００３９】
更新情報生成部２０５は、端数検出部２０４によって検出された端数を残額から減算する旨の更新情報を生成する。換算部２０６は、端数検出部２０４によって検出された端数を玉数に換算する。すなわち、例えば１玉が消費税込みで４．２円に相当する場合は、換算部２０６は、端数を４．２で除算し、端数に対応する玉数を算出する。具体的に、例えば端数が７５円である場合は、７５を４．２で除算し、１７（または１８）玉という換算結果を玉数合算部２０８へ通知する。なお、換算部２０６は、端数の除算結果の小数点以下に対して、切り上げ、切り捨て、または四捨五入などのいずれかの処理を行うように設定できるようになっていても良い。
【００４０】
以上のカードＩＤ読取部２０１から換算部２０６は、本実施の形態に係るカード更新処理部を構成しており、計数機２０に挿入されたプリペイドカードの残額における端数を玉数に換算することにより、Ｔ／Ｃ１０に記憶されたプリペイドカードの残額をカード精算機３０によって精算可能な額に更新させる。すなわち、上記の例では、残額の４４７５円のうち端数の７５円が玉に換算されるため、プリペイドカードの残額が４４００円となり、精算機３０で精算可能となる。
【００４１】
計数部２０７は、計数機２０に玉が投入されると、投入された玉を計数し、計数結果の玉数を玉数合算部２０８へ通知する。玉数合算部２０８は、計数部２０７による計数結果の玉数と換算部２０６による換算結果の玉数とを合算し、合計の玉数をレシート発行部２０９へ通知する。レシート発行部２０９は、玉数合算部２０８から通知された玉数が記載されたレシートを発行する。具体的には、例えばプリペイドカードの残額の端数に対応する玉数が１７玉であり、計数部２０７によって計数された玉数が２５００玉であれば、レシート発行部２０９は、「２５１７玉」と記載されたレシートを発行する。
【００４２】
次いで、上記のように構成された計数機２０の動作について、図５に示すフロー図を参照しながら説明する。
【００４３】
まず、遊技客は、遊技によって獲得した玉および残額が０ではないプリペイドカードを計数機２０へ持参し、それぞれ所定の位置に投入する（ステップＳ１０１）。プリペイドカードが挿入されると、カードＩＤ読取部２０１によって、カードＩＤが読み取られ、送信部２０２からカードＩＤがＴ／Ｃ１０へ送信される（ステップＳ１０２）。なお、ここで送信されるカードＩＤは、送信部２０２によって一時的に記憶され、後に更新情報とともに送信される。
【００４４】
送信されたカードＩＤは、Ｔ／Ｃ１０の受信部１０１によって受信され、カード残額更新部１０３によって、カードＩＤに対応する残額および残度数がカード管理テーブル１０２から読み出される。読み出された残額および残度数は、残額情報として、送信部１０４から計数機２０へ送信される。
【００４５】
送信された残額情報は、計数機２０の受信部２０３によって受信される（ステップＳ１０３）。そして、残額情報は、端数検出部２０４へ出力され、残額における１００円未満の端数が検出される（ステップＳ１０４）。なお、ここでは１００円未満を端数としているが、例えばカード精算機３０が５００円以上の硬貨および紙幣でプリペイドカードの精算を行う場合は５００円未満が端数となり、その他の場合も同様に、カード精算機３０が精算可能な最低金額未満が端数となる。
【００４６】
端数検出部２０４による端数検出の結果、プリペイドカードの残額に端数がない場合は（ステップＳ１０４Ｎｏ）、計数機２０に投入された玉が計数部２０７によって計数され（ステップＳ１０９）、この計数結果の玉数のみが記載されたレシートがレシート発行部２０９によって発行される（ステップＳ１１０）。また、送信部２０２に一時的に記憶されているカードＩＤは破棄される。
【００４７】
一方、端数検出部２０４による端数検出の結果、プリペイドカードの残額に端数がある場合は（ステップＳ１０４Ｙｅｓ）、検出された端数をプリペイドカードの残額から減算する旨の更新情報が更新情報生成部２０５によって生成され（ステップＳ１０５）、送信部２０２に記憶されたカードＩＤとともに更新情報がＴ／Ｃ１０へ送信される。
【００４８】
送信された更新情報は、Ｔ／Ｃ１０の受信部１０１によって受信され、カード残額更新部１０３によって、受信されたカードＩＤに対応する残額および残度数がカード管理テーブル１０２から読み出され、受信された更新情報に従って更新される。
【００４９】
Ｔ／Ｃ１０においてこれらの残額の更新が行われている間、計数機２０においては、端数検出部２０４によって検出された残額の端数が、換算部２０６によって玉数に換算され（ステップＳ１０６）、換算結果の玉数が玉数合算部２０８へ通知される。また、遊技客によって投入された玉が計数部２０７によって計数され（ステップＳ１０７）、計数結果の玉数が玉数合算部２０８へ通知される。そして、玉数合算部２０８によって、換算結果の玉数と計数結果の玉数とが合算され（ステップＳ１０８）、合計の玉数がレシート発行部２０９へ出力される。そして、合計の玉数が記載されたレシートがレシート発行部２０９によって発行される（ステップＳ１１０）。
【００５０】
このように、本実施の形態においては、消費税徴収によってプリペイドカードの残額に発生した精算不可能な端数を計数機２０において玉数に換算し、計数結果の玉数と合算する。このため、プリペイドカードの残額は精算可能な額となり、遊技客はカード精算機３０にてプリペイドカードの残額を精算できるとともに、端数に相当する玉は遊技による獲得出玉と合算されて、景品と交換されることになる。
【００５１】
次に、本実施の形態に係るカード更新処理動作の具体例について、図６に示すシーケンス図を参照しながら説明する。ここでは、カードＩＤが「０００２」、残額が８９５０円、および残度数が８５のプリペイドカードを例に挙げ、このプリペイドカードの残額が精算される場合の動作について説明する。
【００５２】
Ｔ／Ｃ１０のカード管理テーブル１０２には、カードＩＤ「０００２」に上記の残額８９５０円および残度数８５が関連付けて記憶されている（ステップＳ２０１）。この状態で、遊技客によって、計数機２０にプリペイドカードおよび遊技による獲得出玉が投入されると、プリペイドカードのカードＩＤ「０００２」がカードＩＤ読取部２０１によって読み取られ、送信部２０２からＴ／Ｃ１０へ送信される（ステップＳ２０２）。カードＩＤ「０００２」は、送信部２０２に一時的に記憶される。
【００５３】
送信されたカードＩＤ「０００２」は、Ｔ／Ｃ１０の受信部１０１によって受信され、カード残額更新部１０３によって、カードＩＤ「０００２」に対応する残額８９５０円および残度数８５がカード管理テーブル１０２から読み出される。これらの残額８９５０円および残度数８５は、残額情報として送信部１０４から計数機２０へ送信される（ステップＳ２０３）。
【００５４】
送信された残額情報は、計数機２０の受信部２０３によって受信され、残額８９５０円から１００円未満の端数５０円が端数検出部２０４によって検出される（ステップＳ２０４）。そして、端数５０円が残額８９５０円から減算される旨の更新情報が更新情報生成部２０５によって生成される。この更新情報には、残額が８９００円になることに伴って、残度数が８４になる旨を含めても良い。更新情報生成部２０５によって生成された更新情報は、送信部２０２からカードＩＤ「０００２」とともにＴ／Ｃ１０へ送信される（ステップＳ２０５）。
【００５５】
送信されたカードＩＤ「０００２」および更新情報は、Ｔ／Ｃ１０の受信部１０１によって受信され、カード残額更新部１０３によって、カード管理テーブル１０２のカードＩＤ「０００２」に対応する残額および残度数がそれぞれ８９００円および８４に更新される（ステップＳ２０６）。
【００５６】
このカード管理テーブル１０２の更新が行われている間、計数機２０においては、換算部２０６によって端数の５０円が玉数に換算される。ここでは、１玉が消費税込みで４．２円であるものとし、小数点以下は切り上げるものとすると、端数の５０円は１２（≒５０／４．２）玉に換算される。換算結果の１２玉は、玉数合算部２０８へ通知される。また、計数部２０７によって、遊技客が投入した獲得出玉の計数が行われる。ここでは、計数結果が２４８８玉であるものとする。計数結果の２４８８玉は、玉数合算部２０８へ通知される。そして、玉数合算部２０８によって換算結果の１２玉と計数結果の２４８８玉とが合算され、合計の２５００玉がレシート発行部２０９へ出力される（ステップＳ２０７）。
【００５７】
レシート発行部２０９では、玉数が２５００玉と記載されたレシートが発行される。遊技客は、このレシートを景品管理ＰＯＳへ持参する（ステップＳ２０８）。そして、景品管理ＰＯＳにおいて、レシートに記載された２５００玉分の景品の景品交換処理が行われることになる（ステップＳ２０９）。ここで、景品に交換される２５００玉のうち、２４８８玉は遊技によって得られた獲得出玉であるが、残りの１２玉はプリペイドカードの残額に発生していた精算不可能な端数に対応する分である。したがって、端数を玉数に換算し、換算結果を獲得出玉の計数結果に合算し、合計の玉数に応じた景品に交換することにより、精算不可能であったプリペイドカードの残額の端数を遊技客に還元することができる。
【００５８】
一方、遊技客は、端数の処理が行われたプリペイドカードを精算するため、計数機２０からプリペイドカードを取り出してカード精算機３０へ持参する。遊技客がプリペイドカードをカード精算機３０へ挿入すると、カード精算機３０によって、プリペイドカードのカードＩＤ「０００２」が読み取られ、このカードＩＤがＴ／Ｃ１０へ送信される（ステップＳ２１０）。カードＩＤ「０００２」は、カード精算機３０に一時的に記憶される。
【００５９】
送信されたカードＩＤ「０００２」は、Ｔ／Ｃ１０の受信部１０１によって受信され、カード残額更新部１０３によって、カードＩＤ「０００２」に対応する残額８９００円および残度数８４がカード管理テーブル１０２から読み出される。これらの残額８９００円および残度数８４は、残額情報として送信部１０４からカード精算機３０へ送信される（ステップＳ２１１）。
【００６０】
送信された残額情報は、カード精算機３０によって受信され、８９００円の現金が払い出されてプリペイドカードの残額が精算される（ステップＳ２１２）。同時に、プリペイドカードの残額が精算された旨の更新情報がカード精算機３０からＴ／Ｃ１０へ送信される（ステップＳ２１３）。この更新情報は、Ｔ／Ｃ１０の受信部１０１によって受信され、カード残額更新部１０３によって、カード管理テーブル１０２に記憶されたカードＩＤ「０００２」に対応する残額および残度数がいずれも０に更新される（ステップＳ２１４）。
【００６１】
以上のように、本実施の形態によれば、玉の貸出に伴う消費税徴収によってプリペイドカードの残額に発生する端数を計数機において玉換算し、換算結果の玉数を遊技によって獲得された玉数と合算し、合計の玉数が記載されたレシートを発行する。このため、端数分の玉と遊技によって獲得された玉とは景品に交換が可能となるとともに、プリペイドカードの残額から端数が除去されて精算可能となり、遊技客からの消費税徴収に柔軟に対応できるとともに、遊技客の便宜を図ることができる。
【００６２】
（実施の形態２）
本発明の実施の形態２の特徴は、景品管理ＰＯＳにおいてプリペイドカードの残額に発生している端数を玉換算し、換算結果の玉数を遊技客が持参するレシートに記載の玉数と合算する点である。
【００６３】
図７は、本実施の形態に係る玉貸出システムの概略を示す図である。同図において、図１と同じ部分には同じ符号を付し、その説明を省略する。図７に示すように、本実施の形態に係る玉貸出システムは、図１に示した実施の形態１の玉貸出システムにおける計数機２０に代えて景品管理ＰＯＳ８０がＴ／Ｃ１０に接続されている。
【００６４】
景品管理ＰＯＳ８０は、遊技客が持参するレシートを読み取り、レシートに記載されている玉数に応じた景品交換処理を行う。また、景品管理ＰＯＳ８０は、プリペイドカードが挿入されると、プリペイドカードの残額における精算不可能な端数を検出し、端数を玉数に換算する。そして、景品管理ＰＯＳ８０は、レシートに記載された玉数と換算結果の玉数とを合算し、合計の玉数に応じた景品交換処理を行う。
【００６５】
つまり、本実施の形態に係る景品管理ＰＯＳ８０は、記録媒体であるプリペイドカードの残額の端数を玉数に換算し、換算結果を遊技によって獲得された玉数に合算して景品交換処理することにより、消費税の徴収により発生したプリペイドカードの残額の端数を遊技客に還元する。この処理の詳細については、後に詳述する。
【００６６】
図８は、本実施の形態に係る景品管理ＰＯＳ８０の要部構成を示すブロック図である。同図において、図４に示す計数機２０と同じ部分には同じ符号を付し、その説明を省略する。図８に示す景品管理ＰＯＳ８０は、カードＩＤ読取部２０１、送信部２０２、受信部２０３、端数検出部２０４、更新情報生成部２０５、換算部２０６、玉数合算部２０８、玉数読取部８０１、景品交換処理部８０２、および表示部８０３を有している。
【００６７】
本実施の形態においても、カードＩＤ読取部２０１から換算部２０６は、カード更新処理部を構成しており、景品管理ＰＯＳ８０に挿入されたプリペイドカードの残額における端数を玉数に換算することにより、Ｔ／Ｃ１０に記憶されたプリペイドカードの残額をカード精算機３０によって精算可能な額に更新させる。
【００６８】
玉数読取部８０１は、遊技客が景品管理ＰＯＳ８０へ持参したレシートに記載された玉数を読み取り、玉数合算部２０８へ通知する。レシートに記載された玉数は、遊技客が遊技によって獲得した玉数である。
【００６９】
景品交換処理部８０２は、玉数合算部２０８によって算出された玉数の合計から対応する景品数を算出する。すなわち、景品交換処理部８０２は、遊技客が遊技によって獲得した玉数とプリペイドカードの残額の端数分の玉数との合計に応じた景品数を算出する。表示部８０３は、景品交換処理部８０２によって算出された景品数を表示する。
【００７０】
次いで、上記のように構成された景品管理ＰＯＳ８０の動作について、図９に示すフロー図を参照しながら説明する。同図において、図５と同じ部分には同じ符号を付し、その詳しい説明を省略する。
【００７１】
まず、遊技客は、計数機によって発行されたレシートおよび残額が０ではないプリペイドカードを景品管理ＰＯＳ８０へ持参し、それぞれ所定の位置に挿入したりあてがったりする（ステップＳ３０１）。プリペイドカードが挿入されると、カードＩＤが送信部２０２からＴ／Ｃ１０へ送信され（ステップＳ１０２）、Ｔ／Ｃ１０からカードＩＤに対応する残額情報が受信部２０３によって受信される（ステップＳ１０３）。そして、残額情報は、端数検出部２０４へ出力され、残額における１００円未満の端数が検出される（ステップＳ１０４）。なお、ここでも、実施の形態１と同様に１００円未満を端数としている。
【００７２】
端数検出部２０４による端数検出の結果、プリペイドカードの残額に端数がない場合は（ステップＳ１０４Ｎｏ）、レシートに記載された玉数が玉数読取部８０１によって読み取られ（ステップＳ３０４）、読み取られた玉数のみが玉数合算部２０８を経由して景品交換処理部８０２へ出力される。そして、読み取られた玉数に応じた景品数が景品交換処理部８０２によって算出され、算出された数の景品が表示部８０３に表示され、景品管理ＰＯＳ８０の係員が表示部８０３に表示された数の景品を発行する（ステップＳ３０５）。
【００７３】
一方、端数検出部２０４による端数検出の結果、プリペイドカードの残額に端数がある場合は（ステップＳ１０４Ｙｅｓ）、検出された端数をプリペイドカードの残額から減算する旨の更新情報が更新情報生成部２０５によって生成され（ステップＳ１０５）、カードＩＤとともにＴ／Ｃ１０へ送信される。そして、Ｔ／Ｃ１０によって、受信されたカードＩＤに対応する残額および残度数が更新情報に従って更新される。
【００７４】
Ｔ／Ｃ１０においてこの残額の更新が行われている間、景品管理ＰＯＳ８０においては、端数検出部２０４によって検出された残額の端数が、換算部２０６によって玉数に換算され（ステップＳ１０６）、換算結果の玉数が玉数合算部２０８へ通知される。また、レシートに記載された玉数が玉数読取部８０１によって読み取られ（ステップＳ３０２）、読み取られた玉数が玉数合算部２０８へ通知される。そして、玉数合算部２０８によって、換算結果の玉数とレシートから読み取られた玉数とが合算され（ステップＳ３０３）、合計の玉数が景品交換処理部８０２へ出力される。そして、合計の玉数に応じた景品数が景品交換処理部８０２によって算出され、算出された数の景品が表示部８０３に表示され、景品管理ＰＯＳ８０の係員が表示部８０３に表示された数の景品を発行する（ステップＳ３０５）。
【００７５】
このように、本実施の形態においては、消費税徴収によってプリペイドカードの残額に発生した精算不可能は端数を景品管理ＰＯＳ８０において玉数に換算し、レシートから読み取られた玉数と合算する。このため、プリペイドカードの残額は精算可能な額となり、遊技客はカード精算機３０にてプリペイドカードの残額を精算できるとともに、端数に相当する玉は遊技による獲得出玉と合算されて、景品と交換される。
【００７６】
次に、本実施の形態に係るカード更新処理動作の具体例について、図１０に示すシーケンス図を参照しながら説明する。同図において、図６と同じ部分には同じ符号を付し、その詳しい説明を省略する。ここでも、実施の形態１と同様に、カードＩＤが「０００２」、残額が８９５０円、および残度数が８５のプリペイドカードを例に挙げ、このプリペイドカードの残額が精算される場合の動作について説明する。
【００７７】
Ｔ／Ｃ１０のカード管理テーブル１０２には、カードＩＤ「０００２」に上記の残額８９５０円および残度数８５が関連付けて記憶されている（ステップＳ２０１）。この状態で、遊技客によって、景品管理ＰＯＳ８０にプリペイドカードおよびレシートが持参されると、プリペイドカードのカードＩＤ「０００２」がカードＩＤ読取部２０１によって読み取られ、送信部２０２からＴ／Ｃ１０へ送信される（ステップＳ４０１）。カードＩＤ「０００２」は、送信部２０２に一時的に記憶される。そして、送信されたカードＩＤ「０００２」がＴ／Ｃ１０に受信されると、カードＩＤ「０００２」に対応する残額８９５０円および残度数８５が残額情報として景品管理ＰＯＳ８０へ送信される（ステップＳ４０２）。
【００７８】
送信された残額情報は、景品管理ＰＯＳ８０の受信部２０３によって受信され、残額８９５０円から１００円未満の端数５０円が端数検出部２０４によって検出される（ステップＳ４０３）。そして、端数５０円が残額８９５０円から減算される旨の更新情報が更新情報生成部２０５によって生成される。この更新情報には、残額が８９００円になることに伴って、残度数が８４になる旨を含めても良い。更新情報生成部２０５によって生成された更新情報は、送信部２０２からカードＩＤ「０００２」とともにＴ／Ｃ１０へ送信される（ステップＳ４０４）。そして、カードＩＤ「０００２」および更新情報がＴ／Ｃ１０に受信されると、カードＩＤ「０００２」に対応する残額および残度数がそれぞれ８９００円および８４に更新される（ステップＳ２０６）。
【００７９】
この更新が行われている間、景品管理ＰＯＳ８０においては、換算部２０６によって端数の５０円が玉数に換算される。ここでは、１玉が消費税込みで４．２円であるものとすると、端数の５０円は１２（≒５０／４．２）玉に換算される。換算結果の１２玉は、玉数合算部２０８へ通知される。また、玉数読取部８０１によって、遊技客が計数機から持参したレシートに記載された玉数が読み取られる。ここでは、レシートに記載された玉数が２４８８玉であるものとする。レシートに記載された２４８８玉は、玉数合算部２０８へ通知される。そして、玉数合算部２０８によって換算結果の１２玉とレシートに記載された２４８８玉とが合算され、合計の２５００玉が景品交換処理部８０２へ出力される（ステップＳ４０５）。
【００８０】
景品交換処理部８０２では、２５００玉に対応する景品数が算出され、算出された数に景品が表示部８０３に表示され、景品交換処理が行われる（ステップＳ２０９）。ここで、景品に交換される２５００玉のうち、２４８８玉は遊技によって得られた獲得出玉であるが、残りの１２玉はプリペイドカードの残額に発生していた精算不可能な端数に対応する分である。したがって、端数を玉数に換算し、換算結果をレシートに記載された玉数に合算し、合計の玉数に応じた景品に交換することにより、精算不可能であったプリペイドカードの残額の端数を遊技客に還元することができる。
【００８１】
一方、遊技客は、端数の処理が行われたプリペイドカードを精算するため、景品管理ＰＯＳ８０からプリペイドカードを取り出してカード精算機３０へ持参する。遊技客がプリペイドカードをカード精算機３０へ挿入すると、カード精算機３０によって、プリペイドカードのカードＩＤ「０００２」がＴ／Ｃ１０へ送信される（ステップＳ２１０）。そして、カードＩＤ「０００２」がＴ／Ｃ１０によって受信されると、カードＩＤ「０００２」に対応する残額８９００円および残度数８４が残額情報としてカード精算機３０へ送信される（ステップＳ２１１）。
【００８２】
送信された残額情報は、カード精算機３０によって受信され、８９００円の現金が払い出されてプリペイドカードの残額が精算される（ステップＳ２１２）。同時に、プリペイドカードの残額が精算された旨の更新情報がカード精算機３０からＴ／Ｃ１０へ送信される（ステップＳ２１３）。この更新情報は、Ｔ／Ｃ１０の受信部１０１によって受信され、カードＩＤ「０００２」に対応する残額および残度数がいずれも０に更新される（ステップＳ２１４）。
【００８３】
以上のように、本実施の形態によれば、玉の貸出に伴う消費税徴収によってプリペイドカードの残額に発生する端数を景品管理ＰＯＳにおいて玉換算し、換算結果の玉数を遊技によって獲得された玉数と合算し、合計の玉数に応じた数の景品を発行する。このため、端数分の玉と遊技によって獲得された玉とは景品に交換されるとともに、プリペイドカードの残額から端数が除去されて精算可能となり、遊技客からの消費税徴収に柔軟に対応できるとともに、遊技客の便宜を図ることができる。
【００８４】
なお、上記各実施の形態においては、端数分の玉数と遊技によって獲得された玉数とをすべて合算するものとしたが、必ずしも両者を完全に合算しなくても良い。すなわち、例えば実施の形態２において、レシートに記載された玉数のうち交換率が低い（例えば換金率３円）特殊景品に交換可能な分の玉は特殊景品に交換し、残りの玉と端数分の玉については、交換率が高い（例えば等価）お菓子などの一般景品に交換するようにしても良い。
【００８５】
図１１は、上記のような場合の景品管理ＰＯＳ８０の要部構成を示すブロック図である。同図において、図４および図８と同じ部分には同じ符号を付す。図１１の景品管理ＰＯＳ８０では、換算部２０６は、プリペイドカードの残額の端数を玉換算し、換算結果の玉数を直接景品交換処理部８０２ａへ通知する。そして、景品交換処理部８０２ａは、レシートに記載された玉数に応じた特殊景品の数を算出し、算出した特殊景品数を表示部８０３へ出力するとともに、特殊景品との交換には満たない余り玉の玉数と換算部２０６による換算結果の玉数との合計を表示部８０３へ通知する。
【００８６】
そして、表示部８０３は、換算結果の玉数と余り玉の玉数との合計値を表示する。景品管理ＰＯＳ８０の係員は、表示部８０３に表示された玉数を目視で確認し、この玉数に応じてお菓子などの一般景品を遊技客に手渡す。このような場合でも、プリペイドカードの残額に発生した端数は、一般景品として遊技客に還元されるため、遊技客からの消費税徴収に柔軟に対応できるとともに、遊技客の便宜を図ることができる。
【００８７】
さらに、上記各実施の形態において、換算部２０６による換算結果の玉数を景品に交換するのではなく、遊技店に貯玉するようにしても良い。具体的には、換算部２０６による換算結果の玉数は、遊技客を識別する識別情報とともに図示しない貯玉記憶装置へ送信され、貯玉記憶装置において遊技客に対応付けて貯玉数が記憶される。この場合も、プリペイドカードの残額の端数を貯玉として遊技客に還元することができる。
【産業上の利用可能性】
【００８８】
本発明は、遊技客からの消費税徴収に柔軟に対応するとともに、遊技客の便宜を図る場合に適している。
【図面の簡単な説明】
【００８９】
【図１】本発明の実施の形態１に係る玉貸出システムの概略を示す図である。
【図２】実施の形態１に係るＴ／Ｃの要部構成を示すブロック図である。
【図３】実施の形態１に係るカード管理テーブルの一例を図である。
【図４】実施の形態１に係る計数機の要部構成を示すブロック図である。
【図５】実施の形態１に係る計数機の動作を示すフロー図である。
【図６】実施の形態１に係るカード更新処理の具体例を示すシーケンス図である。
【図７】本発明の実施の形態２に係る玉貸出システムの概略を示す図である。
【図８】実施の形態２に係る景品管理ＰＯＳの要部構成を示すブロック図である。
【図９】実施の形態２に係る景品管理ＰＯＳの動作を示すフロー図である。
【図１０】実施の形態２に係るカード更新処理の具体例を示すシーケンス図である。
【図１１】実施の形態２に係る景品管理ＰＯＳの変形例を示すブロック図である。
【符号の説明】
【００９０】
２０１  カードＩＤ読取部
２０２  送信部
２０３  受信部
２０４  端数検出部
２０５  更新情報生成部
２０６  換算部
２０７  計数部
２０８  玉数合算部
２０９  レシート発行部
８０１  玉数読取部
８０２、８０２ａ  景品交換処理部
８０３  表示部
【図１】
0004841229.tif 000002
【図２】
0004841229.tif 000003
【図３】
0004841229.tif 000004
【図４】
0004841229.tif 000005
【図５】
0004841229.tif 000006
【図６】
0004841229.tif 000007
【図７】
0004841229.tif 000008
【図８】
0004841229.tif 000009
【図９】
0004841229.tif 000010
【図１０】
0004841229.tif 000011
【図１１】
0004841229.tif 000012